(57)【要約】　　　（修正有）【課題】ツールホルダーのカラビナを動かす際、大きな摩擦による抵抗がなく、カラビナを動かすのに力が入らない。【解決手段】ボールベアリング止め穴６の部分の座板３の裏側及びピン４の部分に改良を加えることにより、従来品と比較してより滑らかに、そして軽くカラビナ１を動かすことが出来、工具類の着脱が簡単に出来るようにした。【選択図】　　図１
0003098305.tif 000002
【実用新案登録請求の範囲】
【請求項１】
カラビナ１を左右に滑らかに動かすことが出来、また３箇所で止めることが出き、狭隘な所でも安全に操作できるようにしたところの改善に関するものである。
【請求項２】
従来品（図９）に比べて、摩擦による磨耗が著しく減った。カラビナ１を支えるピン４の形状及び操作に関する改善である。（図９−４）
【請求項３】
カラビナ１内に吊り下げ保持している工具類を、引っぱり上げるだけで簡単に取り出されるようにし、工具類の出し入れが簡単に行えるようにしたところの改善に関するものである。（図５）
【請求項４】
カラビナ１とレバー２の接合部（図８）に示す結合をなすホルダーであり、レバー２の横揺れ及び外側への振れを防止し、又、作業服の袖や上着・軍手などが引っ掛からない様、また、簡単に取れる様に改良を加えたツールホルダーである。
【考案の詳細な説明】
【０００１】
【考案の属する技術分野】
本考案は、高所作業等に於いて、作業者が腰ベルトに当該品を装着し、工具の着脱をより安全、円滑に行うことができ、狭隘な場所でも安全に使用できる所謂ツールホルダーの改良に関するものである。（図５及び図６）
【０００２】
【従来の技術】
従来品（図９）のカラビナの支承部は、鋼板に波型の切り込み（図９−１１）をつけ、三箇所でカラビナが止まるようになっていた。そして、それをカラビナに埋め込んだピン（図９−４）で支えていた。しかしこの形態で使用すると、カラビナを左右に移動させた時ピン４と台板３との間に非常に大きな摩擦と抵抗があり、カラビナを動かすのに力が要った。また、摩擦によりすぐに磨耗し使用期間が短かった。（図９）
【０００３】
カラビナとレバーの合わせ部分は主たるものとして、（イ）面の擦り合わせ（図１１）、（ロ）噛み合せ（図１０）の２種類があるが、特に（ロ）の場合、作業服の袖や上着・軍手等が引っ掛かるという問題が指摘されていた。
【０００４】
【考案が解決しようとする課題】
従来品（図９）では、スプリングで保持されたピン４が台板の波型の部分を移動するがその際に、非常に大きな摩擦が生じ磨耗が激しかった。山の部分の先端がすぐに擦り減ってしまう。カラビナを動かすのに抵抗が大きいので力が要る。
【０００５】
カラビナ１を左右に移動させるのに谷の部分で、左・右・真中の３箇所で止まるだけであり、またカラビナ自体が波型を移動するのに合わせて、上下して波打つ動きとなり決して滑らかな動きではない。（図９）
【０００６】
従来の分ですり合わせ面（図１１）のホルダーに於いて、レバー２の爪がカラビナ１の太さに合わせて作ってあるので、工具等を取り出す際に、その都度レバーをカラビナ１の内側へ押さなければ工具が取り出せなかった。（図１１）
【０００７】
【課題を解決するための手段】
ボール止め穴６の台板の裏側に、カラビナ２を滑らかに動かすため、ボール止め穴６から左右にボールベアリング７の通る半月型の溝７Ａを設け、その両端にボールベアリング７の止まる半月型の穴７Ｂをストッパーとして設けた。カラビナ１を左右に移動させると、ボールベアリング７がその溝に沿って動き、溝がガイドの役目を果たす。従来品に比べると、動きが非常に滑らかに使用することが出来る。（図３）
【０００８】
カラビナ１が上下に移動すると、ボールベアリング７がガイドの溝から逸脱してしまう。そのためにカラビナ１にピン４（図１−４）を埋め込み台板にガイド用の切り込み５を作り、左右のみ移動できるようにして、それによって上下に移動しないように支えている。こうすることによって、ほとんど摩擦による磨耗はなくなりカラビナ１が滑らかに動かすことが出来るようになった。
【０００９】
レバーとカラビナ本体との擦り合わせ部分（図１１）については、横から加えられた力によってレバーが動き、工具が落下するという極めて危険性の高い問題点が指摘されていた。
また、噛み合せ接合部（図１０）については、複雑となる上に噛み合せ部分に作業服の袖・上着・軍手等他のものが喰い込んだり、又、引っ掛かったりしやすく、使用のしにくさがあった。
【００１０】
本考案により、横からの力にも充分に耐え得るものとした。又、噛み合せ部分に物が引っ掛かるのを防ぎ、また、引っ掛かっても取れやすくなり、レバー２の縦方向のずれもなくなり、レバー２は外側へは動かないような構造とした。（図８）
【００１１】
レバー２の爪１０に関して、従来品より内側へ角度を付け長くした。それによって、カラビナ１内に吊り下げている工具類を斜め上に引っ張るだけで取り出せるようになり、操作が非常に簡単になった。
【００１２】
【考案の実施の形態】
工具類を吊り下げて保持するために、レバー２を内側に押して工具類をカラビナ１内部に吊り下げる。その際、カラビナ１はスムーズに１８０°左右に移動させることが出来、基本的には座板に対して直角で使用するが、３箇所に止めて、工具類をカラビナ２内部へ差し込んで吊り下げることが出来る。
工具を取り出す際も（図５−Ａ・Ｂ・Ｃ）、従来品より簡単になり、カラビナ１内側に添って斜め上に引き上げると、工具が爪を押し上げて簡単に取り出せるようになった。
【００１３】
【実施例】
ベルト通し穴９ａの表から裏へベルトを通し、それを９ｂの裏から表へ通して、ベルトに当該品を装着する。カラビナ１は左右滑らかに動くが、工具類を吊るす際には、台板に対してカラビナ１を直角に立て、レバー２を内側へ押して工具を差し込み吊り下げる。作業中にカラビナ１を立てたままでは邪魔なので、カラビナ１を倒して、身体に添わせて収めることが出来る。（図１−Ａ・Ｂ）
【００１４】
【考案の効果】
本考案は工具を吊るすとき、並びに取り外しを行う際にはカラビナ１を座板３に対して直角に起こして使用する。また作業中に狭あいな場所等に於いては、起こしたままであると、他の物に引っ掛かったりする場合があるが、当該品は台板３に添わせて収めることが出来るので、安全性が増す。
取扱いも、従来品に比べれば、カラビナ１の移動も滑らかに行うことが出来ると共に、工具１０Ｂの出し入れも簡単に行うことが出来る。
【００１５】
従来のものは、噛み合せ部分に作業服の袖や上着・軍手等が引っ掛かったが、本考案の接合部（図８）ではそれが解消される。噛み合せ部分の三角形は、構造上簡便化したものであり、引っ掛かったとしても角度が付いているので容易に取れやすく、作業上からも安全性からも安心して使用できるものとなった。
【００１６】
従来の吊具（図１１）は横から力が加わることによってレバーがずれやすかったが、当該品（図８）に於いては、三角形の凸凹嵌合部の噛み合せによってそれが解消され、又、外側へレバーが動くことのない設計となっているので、使用に際して簡便になったと同時に堅固になったといえる。
【図面の簡単な説明】
【図１】本考案のツールホルダーの全体斜視図である。（可動式）−Ａ−Ｂは座板に添わせて倒した図
【図２】本考案のツールホルダーの展開図である。
【図３】本考案の図１−３ボール止め穴の断面図である。
【図４】本考案のピン４の断面図である。
【図５】本考案のツールホルダーに工具１０Ｂを出し入れした時の図である。
【図６】本考案のツールホルダーの使用状態を示す図である。
【図７】本考案三角噛み合せツールホルダーの全体斜視図である。（固定式）
【図８】本考案のレバー（図７−２）の接合部の詳細図である。
【図９】従来品のツールホルダーの全体斜視図である。
【図１０】従来品のレバーの噛み合せ接合部である。
【図１１】従来品のレバーの平面擦り合せ接合部である。
【符号の説明】
１　　　カラビナ
２　　　レバー
２Ａ　　レバー用スプリング
３　　　座板
３Ａ　　座板カバー
４　　　ピン
５　　　ガイド用切り込み
６　　　ボール止め穴
７　　　ボールベアリング
７Ａ　　ボールベアリングガイド用溝
７Ｂ　　ボールベアリングストッパー
８　　　スプリング
９ａ　　ベルト通し穴
９ｂ　　ベルト通し穴
１０　　レバー爪
１０Ａ　安全帯
１０Ｂ　工具
１１　　波型切込み（山型）
【図１】
0003098305.tif 000003
【図２】
0003098305.tif 000004
【図３】
0003098305.tif 000005
【図４】
0003098305.tif 000006
【図５】
0003098305.tif 000007
【図６】
0003098305.tif 000008
【図７】
0003098305.tif 000009
【図８】
0003098305.tif 000010
【図９】
0003098305.tif 000011
【図１０】
0003098305.tif 000012
【図１１】
0003098305.tif 000013
【手続補正書】
【提出日】平成14年6月19日(2002.6.19)
【手続補正２】
【補正対象書類名】明細書
【補正対象項目名】実用新案登録請求の範囲
【補正方法】変更
【補正の内容】
【実用新案登録請求の範囲】
【請求項１】
自在カラビナ１が従来品より滑らかに動き、又、３箇所で止めることが出きるツールホルダー。
【請求項２】
カラビナ１を支えるピン４の形状を、従来品に比べてカラビナ１の稼動時に摩擦による磨耗を減らし、円滑な動きを可能なものにしたツールホルダー。
【請求項３】
カラビナ１内に吊り下げ保持している工具類を、引っぱり上げるだけで簡単に取り出されるようにし、工具類の出し入れが簡単に行えるようにしたツールホルダー。（図５）
【請求項４】
カラビナ１とレバー２の接合部（図８）に示す結合をなすホルダーであり、レバー２の横揺れ及び外側への振れを防止し、又、作業服の袖や上着・軍手などが引っ掛からない様、また、簡単に取れる様に改良を加えたツールホルダー。
【手続補正書】
【提出日】平成14年11月1日(2002.11.1)
【手続補正２】
【補正対象書類名】明細書
【補正対象項目名】実用新案登録請求の範囲
【補正方法】変更
【補正の内容】
【実用新案登録請求の範囲】
【請求項１】
カラビナ部を０°・９０°・１８０°の３箇所（図３−７Ｂ，６）で簡単に止める事が出来、工具類を吊り下げる際などは９０°で固定した状態（図１）で使用し、狭隘な場所での作業時には０°か１８０°の折りたたんだ状態（図１−Ａ，Ｂ）で固定し使用出来るようにしたツールホルダー。
【請求項２】
カラビナ部を支えるピンの形状（図１−４）を、従来品に比べてカラビナ部の稼動時の摩擦が少ない形状とし、カラビナ部を動かした際の摩擦を少なくすると共にカラビナ部の動きを円滑にし、従来品より容易にカラビナ部を左右に動かすことが出来るようにしたツールホルダー。
【請求項３】
カラビナ部に吊り下げ保持している工具類を引っぱり上げるだけで容易に取り出し出来るようにし（図１−１０）、工具類の出し入れを容易に行えるようにしたツールホルダー。
【請求項４】
カラビナ部とレバーとの噛み合せ部の形状に改良を加え（図８）、レバーの横揺れ及び外側への振れを防止した事により、カラビナ本体とレバーにズレが生じず、作業服の袖や軍手などが引っ掛かるのを防ぎ、又、引っ掛かった際も容易に取ることが出来るようにしたツールホルダー。
【手続補正書】
【提出日】平成15年6月24日(2003.6.24)
【手続補正１】
【補正対象書類名】明細書
【補正対象項目名】実用新案登録請求の範囲
【補正方法】変更
【補正の内容】
【実用新案登録請求の範囲】
【請求項１】
カラビナ型ツールホルダーに於いて、ボール止め穴の台板の裏側に、カラビナを滑らかに動かすため、ボール止め穴から左右にボールベアリングの通る半月型の溝を設け、その両端にボールベアリングの止まる半月型の穴をストッパーとして設け、カラビナ部を０°・９０°・１８０°の３箇所で簡単に止めることが出来、工具類を吊り下げる際などは９０°で固定した状態で使用し、狭隘な場所での作業時などには折りたたんだ状態で固定するという様に、３通りに固定できるツールホルダー。
【請求項２】
【請求項１】
のような機構を持つカラビナ型ツールホルダーではカラビナ部を固定する為にボールベアリングを使用するが、ボール止め穴の台板の裏側にボール止め穴から左右にボールベアリングの通る半月型の溝を設け、その両端にボールベアリングの止まる半月型の穴をストッパーとして設け、カラビナを左右に移動させると溝がガイドの役目を果たしボールベアリングがその溝に沿って動くようにし、かつ、カラビナにピンを埋め込み、台板にガイド用の切り込みを作り、左右のみ移動できるようにし上下に移動しないようにボールベアリングを支えている為、台座との摩擦によるボールベアリングの磨耗がほとんどなくなり、非常に滑らかにカラビナ部を動かすことができるツールホルダー。
【請求項３】
【請求項１】
のような機構を持つカラビナ型ツールホルダーに於いて、レバー閉鎖時にレバーと本体の縦横方向のずれを本体の突起及びレバーの凹みの噛み合せにより固定し、噛み合せ部分に物が引っ掛かるのを防ぎ、また、引っ掛かっても取れやすくし、レバーの爪に関しては内側へ角度を付け長くする事により、カラビナ内に吊り下げている工具類を斜め上に引っ張るだけで簡単にカラビナから外す事ができる、操作が非常に簡単なツールホルダー。
【請求項４】
【請求項１】
のような機構を持つカラビナ型ツールホルダーに於いて、レバーの爪を内側へ角度を付け長くし、カラビナ内に吊り下げている工具類を斜め上に引っ張るだけで取り出せるようにし、又、レバー閉鎖時にレバーと本体の凹凸によりレバーの横揺れ及び外側への振れを防止した事により、カラビナ本体とレバーにズレが生じず、作業服の袖や手袋などが引っ掛かるのを防ぎ、又、引っ掛かった際も簡単に取ることが出来る上、工具の出し入れが容易なツールホルダー。
【手続補正書】
【提出日】平成15年3月19日(2003.3.19)
【手続補正１】
【補正対象書類名】明細書
【補正対象項目名】実用新案登録請求の範囲
【補正方法】変更
【補正の内容】
【実用新案登録請求の範囲】
【請求項１】
カラビナ部を０°・９０°・１８０°の３箇所で簡単に止めることが出来、工具類を吊り下げる際などは９０°で固定した状態で使用し、狭隘な場所での作業時などには折りたたんだ状態で固定するという様に、３通りに固定できるツールホルダー。
【請求項２】
ボール止め穴の台板の裏側に、ボール止め穴から左右にボールベアリングの通る半月型の溝を設け、その両端にボールベアリングの止まる半月型の穴をストッパーとして設け、カラビナを左右に移動させると溝がガイドの役目を果たしボールベアリングがその溝に沿って動き、又、カラビナにピンを埋め込み台板にガイド用の切り込みを作り左右のみ移動できるようにし、上下に移動しないように支えている為、ほとんど摩擦による磨耗がなくなり、従来品に比べると非常に滑らかにカラビナを動かすことのできるツールホルダー。
【請求項３】
レバー閉鎖時にレバーと本体の縦横方向のずれを本体の突起及びレバーの凹みの噛み合せにより固定し、噛み合せ部分に物が引っ掛かるのを防ぎ、また、引っ掛かっても取れやすくし、レバーの爪に関しては、従来品より内側へ角度を付け長くする事により、カラビナ内に吊り下げている工具類を斜め上に引っ張るだけで簡単にカラビナから外す事ができ、操作が非常に簡単になったツールホルダー。
【請求項４】
レバーの爪に関して、従来品より内側へ角度を付け爪を長くし、カラビナ内に吊り下げている工具類を斜め上に引っ張るだけで取り出せるようにし、又、レバー閉鎖時にレバーと本体の凹凸によりレバーの横揺れ及び外側への振れを防止した事により、カラビナ本体とレバーにズレが生じず、作業服の袖や手袋などが引っ掛かるのを防ぎ、又、引っ掛かった際も簡単に取ることが出来る上、工具の出し入れが容易なツールホルダー。